(57)【要約】【課題】端末に各種の端末部品が取り付けられたフラットケーブルを、その端末部品近傍で容易に折り曲げることができ、更に、構造が簡単で小型になり、取り扱いが簡便なフラットケーブル折り曲げ治具を提供する。【解決手段】端末部品１４が取り付けられたフラットケーブル１２を支持するベース１０と、そのベース１０のケーブル支持面１０Ａに設けられて前記端末部品１４を支承する凹部１６と、前記ベース１０の前記凹部１６に支承される端末部品１４からフラットケーブル１２が延在する側に、フラットケーブル１２の延在軸線に対し所定角度θで斜交するように形成された傾斜側面１０Ｂとを備え、前記傾斜側面１０Ｂの少なくともケーブル支持面１０Ａ側の外側縁がフラットケーブル１２を折り曲げる折り曲げ型１０Ｃに形成されている。【選択図】　　　　図１
2004015966.tif 000002
【特許請求の範囲】
【請求項１】
端末部品が取り付けられたフラットケーブルを支持するベースと、そのベースのケーブル支持面に設けられて前記端末部品を支承する凹部と、前記ベースの前記凹部に支承される端末部品からフラットケーブルが延在する側に、フラットケーブルの延在軸線に対し所定角度で斜交するように形成された傾斜側面とを備え、前記傾斜側面の少なくともケーブル支持面側の外側縁がフラットケーブルを折り曲げる折り曲げ型に形成されていることを特徴とするフラットケーブル折り曲げ治具。
【発明の詳細な説明】
【０００１】
【発明の属する技術分野】
本発明は自動車用配線等に用いられるフレキシブルフラットケーブル（ＦＦＣ）、テープ、条等に形成されたフレキシブルプリント回路基板導体（ＦＰＣ）、テープ電線等のフラットケーブルを簡易に折り曲げることができるフラットケーブル折り曲げ治具に関するものである。
【０００２】
【従来の技術】
自動車用の配線等に使用される前記フラットケーブルは、予め決められた配線パターンや布設ルートに基づいて任意位置で所定角度に折り曲げて使用される。従来、このフラットケーブルを折り曲げる作業能率を高めるために、これを自動的に折り曲げるフラットケーブル折り曲げ装置が提案されている（特開平７−１０９０６６号公報参照）。
【０００３】
この折り曲げ装置は、図５に示すように、ベース２と、該ベース２上に載置されたフラットケーブル１の折り曲げ部に下降当接される型３と、該型３を上下させる型シリンダ４と、前記ケーブル１を抑える抑え５と、該抑え５を上下させる抑えシリンダ６と、前記ベース２及び型３で挟持された前記ケーブル１を直角に折り曲げるローラ７と、該ローラ７を垂直駆動させるローラ上下シリンダ８と、該ローラ７を水平駆動させるローラ前後シリンダ９とを有し、該ローラ７によって直角に折り曲げられた前記ケーブル１を、更に前記型３を上昇させた後、前記ベース２及びローラ７で挟持し、該ローラ７の垂直方向移動と水平方向移動の組み合わせにより１８０度に折り曲げる構造を有している。なお、型３及びローラ７の設置角度を変更することにより、フラットケーブル１をそのフラットな面内で折り曲げ方向を任意の方向へ変更して折り曲げることが可能である。
【０００４】
【発明が解決しようとする課題】
近年、フラットケーブル１の配線パターンや布設ルートの複雑化、配線、布設スペースの縮小化の傾向が強まり、端末にフラットケーブル１を接続するコネクタやフラットケーブルを基板、フレーム、壁等に固定させる係止部材等の端末部品が取り付けられたフラットケーブル１を、該端末部品近傍において、該ケーブル１のフラットな面内で曲げ方向が例えば９０度変わるように折り曲げる必要が生じてきている。しかしながら、従来の折り曲げ装置では、フラットケーブル１をその中間部分で折り曲げることは比較的容易だが、前記端末部品近傍において、該ケーブルのフラットな面内で折り曲げようとすると、その端末部品がケーブル折り曲げ作業の邪魔になり、フラットケーブルを容易、且つ、所定の位置に精度よく折り曲げることが難しいという問題があった。また、従来の折り曲げ装置は構造が複雑で大型になるため、取り扱いが不便で、折り曲げ作業性が低下するという問題もあった。
【０００５】
本発明は上記に鑑みてなされたもので、その目的とするところは、端末に各種の端末部品が取り付けられたフラットケーブルを、その端末部品近傍において、該ケーブルのフラットな面内で容易、且つ、精度よく折り曲げることができるほか、構造が簡単で小型になり、取り扱いが簡便で折り曲げ作業性を向上させることができるフラットケーブル折り曲げ治具を提供することにある。
【０００６】
【課題を解決するための手段】
前記目的を達成するために、本発明のフラットケーブル折り曲げ治具は、端末部品が取り付けられたフラットケーブルを支持するベースと、そのベースのケーブル支持面に設けられて前記端末部品を支承する凹部と、前記ベースの前記凹部に支承される端末部品からフラットケーブルが延在する側に、フラットケーブルの延在軸線に対し所定角度で斜交するように形成された傾斜側面とを備え、前記傾斜側面の少なくともケーブル支持面側の外側縁がフラットケーブルを折り曲げる折り曲げ型に形成されているものである。
【０００７】
本発明の折り曲げ治具によると、端末部品が取り付けられたフラットケーブルを、その端末部品近傍において、該ケーブルのフラットな面内で折り曲げる際、その端末部品をベースの凹部に収めて支承するので、端末部品がフラットケーブルの折り曲げ作業の邪魔にならない位置に保持した状態で、その端末部品から延在するフラットケーブルを前記ベースの傾斜側面に形成された折り曲げ型の仮想折り曲げ線に沿って折り曲げることが可能になる。従って、フラットケーブルを、その端末部品近傍において、該ケーブルのフラットな面内で容易に、且つ、所定の位置に精度よく折り曲げることができる。また、前記ベースに凹部が設けられ、傾斜側面が形成され、その少なくともケーブル支持面側の外側縁に折り曲げ型が形成されているので、部品数が少なく、構造が簡単で小型になり、取り扱いが簡便で折り曲げ作業性を向上させることができる。
【０００８】
【発明の実施の形態】
次に、本発明の実施形態を図面により詳細に説明する。図１は本発明の一実施形態を示すフラットケーブル折り曲げ治具を示すもので、（イ）は斜視図、（ロ）は右側面図、（ハ）は（イ）のＸ−Ｘ線断面図である。本実施形態のフラットケーブル折り曲げ治具は、図１（イ）乃至（ハ）に示すように、コネクタ、係止部材等の端末部品１４が取り付けられたフラットケーブル１２を支持するプラスチック又は金属製の板状片からなるベース１０と、そのベース１０のケーブル支持面１０Ａに設けられて前記端末部品１４を支承して保持する凹部１６と、前記ベース１０の前記凹部１６に支承される端末部品１４からフラットケーブル１２が延在する側に、フラットケーブル１２の延在軸線に対し所定角度θで斜交するように形成された傾斜側面１０Ｂとを備える。
【０００９】
そして、この傾斜側面１０Ｂは、ケーブル支持面１０Ａ側の外側縁から、ケーブル支持面１０Ａ側とは反対の面側、即ち、ケーブル支持面１０Ａを上面とすると下面に相当する面側の外側縁に向かって、内側（凹部１６が在る側）へ僅かに傾斜しており、その結果、前記傾斜側面１０Ｂのケーブル支持面１０Ａ側の外側縁が、フラットケーブル１２の延在方向へ一番突出して、フラットケーブル１２を折り曲げる折り曲げ型１０Ｃに形成されている。１８はベース１０の前記傾斜側面１０Ｂとは反対側の側面近傍に形成された貫通孔で、この貫通孔に該折り曲げ治具を作業工具取付板等に吊り下げる等して保管するための紐、リボン等が挿通されて取り付けられる。
【００１０】
なお、フラットケーブル１２を折り曲げる折り曲げ型１０Ｃは前記傾斜側面１０Ｂの前記ケーブル支持面１０Ａ側の外側縁に形成されるものだけに限定されない。例えば、傾斜側面１０Ｂのケーブル支持面１０Ａの外側縁からケーブル支持面１０Ａとは反対の面側の外側縁に至る任意の中間部位まで、又は、傾斜側面１０Ｂのケーブル支持面１０Ａ側の外側縁から前記反対の面側の外側縁に至る全部位まで、傾斜側面１０Ｂを内側へ傾斜させることなくケーブル支持面１０Ａに対して垂直（直角）になるようにして、前記折り曲げ型１０Ｃがケーブル支持面１０Ａ側の外側縁から前記任意の中間部位まで、又は、ケーブル支持面１０Ａ側の外側縁から前記反対の面側の外側縁に至る全部位にわたり形成されるようにしてもよい。
【００１１】
前記傾斜側面１０Ｂの前記角度θは、図示するものでは４５度に設定されている。この場合には、フラットケーブル１２をその端末に取り付けられた端末部品１４の近傍において、傾斜側面１０Ｂに形成された折り曲げ型１０Ｃの４５度の仮想折り曲げ線に沿って図面の表側から裏側に向けて略９０度に折り曲げてフラットケーブル１２に折り曲げ癖を付与する。その後、フラットケーブル１２をこの折り曲げ治具から取り除き、手作業でフラットケーブル１２の前記折り曲げ癖の付与された部位を１８０度に折り返して折り畳む。これにより、最終的にフラットケーブル１２を、後記図４に示すように、そのフラットな面内で９０度折り曲げ方向を変えて容易、且つ、所定の位置に精度よく折り曲げることが可能になる。
【００１２】
なお、前記角度θは４５度に限定されるものではなく、フラットケーブル１２の所定の配線パターンや布設ルートに応じて適宜変更することができる。例えば、前記角度θを３０度に変えると、フラットケーブル１２をそのフラットな面内で６０度に、また、前記角度θを６０度に変えると、フラットケーブル１２をそのフラットな面内で１２０度に折り曲げ方向を変えて折り曲げることが可能になる。前記角度θを変える場合には、その角度θごとに斜交するように形成された傾斜側面を備えるフラットケーブル折り曲げ治具を用意して使用する。また、前記ベース１０のケーブル支持面１０Ａに設けられた凹部１６は、図示のものでは有底状であるが、凹溝又は穴を含むものである。穴の場合は、その内面に突起を形成したり、穴の入口側の内径よりも奥側の内径を小径にしたりして段部を形成し、端末部品１４を支承できるようにすれば貫通穴でもよい。
【００１３】
次に、この実施形態の折り曲げ治具を用いてフラットケーブル１２を折り曲げる場合には、先ず、図２に示すように、フラットケーブル１２の端末に取り付けられた端末部品１４を、フラットケーブル１２がベース１０の傾斜側面１０Ｂ側に配置されるようにして、ベース１０の凹部１６に収めて支承する。
【００１４】
次に、図３（イ）（ロ）に示すように、ベース１０の傾斜側面１０Ｂ（角度θは４５度）の個所に位置するフラットケーブル１２を、例えば、手作業で図３（イ）の表側から裏側に向けて押し付け、その個所のフラットケーブル１２を端末部品１４の近傍において、折り曲げ型１０Ｃの４５度の仮想折り曲げ線に沿って図面の表側から裏側に向けて略９０度に折り曲げて、該フラットケーブル１２に折り曲げ癖を付与する。
【００１５】
次に、このように折り曲げ癖の付与されたフラットケーブル１２を、図示しないが、この折り曲げ治具から取り除き、手作業でフラットケーブル１２の前記折り曲げ癖の付与された部位を１８０度に折り返して折り畳む。これにより、図４に示すように、フラットケーブル１２をその端末に取り付けられた端末部品１４の近傍において、該ケーブル１２のフラットな面内で９０度折り曲げ方向を変えて折り曲げ、フラットケーブル１２の折り曲げ作業を終了する。
【００１６】
【発明の効果】
以上説明したように、本発明のフラットケーブル折り曲げ治具は、端末部品が取り付けられたフラットケーブルを支持するベースと、そのベースのケーブル支持面に設けられて前記端末部品を支承する凹部と、前記ベースの前記凹部に支承される端末部品からフラットケーブルが延在する側に、フラットケーブルの延在軸線に対し所定角度で斜交するように形成された傾斜側面とを備え、前記傾斜側面の少なくともケーブル支持面側の外側縁がフラットケーブルを折り曲げる折り曲げ型に形成されているので、フラットケーブルを、その端末部品近傍において、該ケーブルのフラットな面内で容易に、且つ、所定の位置に精度よく折り曲げることができる。また、前記ベースに凹部が設けられ、傾斜側面が形成され、その少なくともケーブル支持面側の外側縁に折り曲げ型が形成されているので、部品数が少なく、構造が簡単で小型になり、取り扱いが簡便で折り曲げ作業性を向上させることができる。
【図面の簡単な説明】
【図１】本発明の一実施形態を示すフラットケーブル折り曲げ治具を示すもので、（イ）は斜視図、（ロ）は右側面図、（ハ）は（イ）のＸ−Ｘ線断面図である。
【図２】図１に示すフラットケーブル折り曲げ治具のベースに端末部品が取り付けられたフラットケーブルを配置する状態の説明図である。
【図３】フラットケーブルを図２に示す状態から図の裏側に向けて折り曲げ、これに折り曲げ癖を付与する状態を示すもので、（イ）は平面図、（ロ）は正面図である。
【図４】図３に示す状態にあるフラットケーブルを折り曲げ治具から取り除き、該ケーブルをそのフラットな面内で９０度折り曲げ方向を変えて折り曲げた状態を示す拡大平面図である。
【図５】従来のフラットケーブル折り曲げ装置を示す概要斜視図である。
【符号の説明】
１０　　　ベース
１０Ａ　　ケーブル支持面
１０Ｂ　　傾斜側面
１０Ｃ　　折り曲げ型
１２　　　フラットケーブル
１４　　　端末部品
１６　　　凹部
１８　　　貫通孔
【図１】
2004015966.tif 000003
【図２】
2004015966.tif 000004
【図３】
2004015966.tif 000005
【図４】
2004015966.tif 000006
【図５】
2004015966.tif 000007